(57)【要約】      （修正有）【課題】胸骨圧迫部位を容易に特定し、消防・救命訓練の際の訓練（学習）効果を高め、訓練対象者が興味を示し、訓練意欲を高めることが可能な消防・救命訓練用マネキン補助具を提供する。【解決手段】消防・救命訓練用マネキン或いは人体に着脱可能であり、前胸部を覆う被覆シート本体２と、被覆シート本体に貼着され、人体の肋骨・胸骨部位が表示された表示部３とを具備する。被覆シート本体は透明又は半透明であることが好ましい。更に、被覆シート本体に取り付けられ、人体の心臓を説明するために用いられる弾性変形材５（ゴム風船）を具備することが好ましい。【選択図】図１
0003191335.tif 000002
【実用新案登録請求の範囲】
【請求項１】
消防・救命訓練用マネキンまたは人体に着脱可能であり、前胸部を覆う被覆シート本体と、該被覆シート本体に貼着され、人体の肋骨・胸骨部位が表示された表示部とを具備する消防・救命訓練用マネキン補助具。
【請求項２】
上記被覆シート本体が透明又は半透明である請求項１記載の消防・救命訓練用マネキン補助具。
【請求項３】
更に、上記被覆シート本体に取り付けられ、人体の心臓を説明するために用いられる弾性変形材を具備する請求項１又は２記載の消防・救命訓練用マネキン補助具
【請求項４】
上記弾性変形材がゴム風船からなる請求項３記載の消防・救命訓練用マネキン補助具。
【請求項５】
上記被覆シート本体の中央部又はその近傍に、細長状の折り返し片が設けられ、該折り返し片の先端部にゴム風船等の弾性変形材を取り付けるものであって、使用時に、上記折り返し片を内側に折り返して、上記弾性変形材を心臓と見立てて、心臓マッサージ訓練を行う請求項１〜４のいずれか１項記載の消防・救命訓練用マネキン補助具。
【請求項６】
上記折り返し片を内側に折り返して使用する際の該折り返し片に取り付けられた弾性変形材の中心が、上記肋骨・胸骨部位が表示された表示部の胸骨圧迫部位となるように調整される請求項５記載の消防・救命訓練用マネキン補助具。
【請求項７】
上記被覆シート本体の上端中央部に、消防・救命訓練用マネキンに着脱可能とするためのボタンが取り付けられる請求項１〜６のいずれか１項記載の消防・救命訓練用マネキン補助具。
【考案の詳細な説明】
【技術分野】
【０００１】  本考案は、消防・救命訓練に頻繁に使用される消防・救命訓練用補助具、特に、心臓マッサージ（胸骨圧迫）訓練用マネキンまたは直接人体に装着して訓練を行う補助具に関する。
【背景技術】
【０００２】  救命訓練として、意識障害、呼吸、循環機能（心臓）が停止、もしくはこれに近い状態に陥った場合、呼吸と循環を補助するために観察、心臓マッサージ、人工呼吸等の一連の手当を行う必要がある。その一環として、心肺蘇生法があり、心肺蘇生法訓練用人形（マネキン）を使っての行う訓練がある。【０００３】  上記の心肺蘇生法（ＣＰＲ）は、呼吸が止まり、心臓も動いていないと見られる人の救命へのチャンスを維持するために行う循環の補助方法であり、心臓マッサージ（胸骨圧迫）を主に行うものであり、具体的には、図５に示すように、胸の真ん中あたり（胸骨圧迫部位Ｙ）に手の付け根を置き両手を重ねて、肘を真っ直ぐ伸ばし、少なくとも１００回／分以上の速さで継続出来る範囲で強く圧迫を繰り返す必要がある。【０００４】  消防・救命訓練等の際には、上記のとおり、訓練用マネキンを用いて行うものであるが、図３に示されるように、この訓練用マネキン１０は、単なる（無愛想な）粗野な人形であるため、具体的に内蔵や肋骨を容易に特定できるものではない。上記のように、胸骨圧迫を行う際、胸の真ん中あたりを特定する必要があるが、疑似体験として、この訓練用マネキンを使用することになるので、このマネキンでは具体的に胸骨圧迫部位を特定することは困難である。また、訓練用マネキンに代えて、人体を直接使用する（人間を直接対象にする）場合には、訓練対象者が子供を含む未熟練者であるため当該人体に危険を被るおそれがある。【０００５】  また、訓練対象者が成人のみならず、小学生以上の子供やお年寄りまで幅広く対象としており、特に、小学生では上記の訓練用マネキンを使う際、実際に、図５に示されるように、心臓Ｘや胸骨圧迫部位Ｙを正確に特定することが困難である。つまり、訓練用マネキンを使う場合、どのあたりが心臓で、その位置が胸骨圧迫部位なのかを具体的に特定またはイメージすることが困難のようであり、上記の救命訓練をより分かり易く且つ効率良く行うことが切望されていた。【０００６】  なお、上記の心臓マッサージ（胸骨圧迫）訓練に関する技術としては以下の文献が挙げられる。この技術は、心臓と肋骨とを図に表してなる心臓肋骨図を胸の部分に有する服等であって、前記心臓肋骨図は肋骨の図の上に心臓の図を表した服である。
【先行技術文献】
【特許文献】
【０００７】
【特許文献１】特開２００３−１１３５０９号公報
【考案の概要】
【考案が解決しようとする課題】
【０００８】  本考案は、上記事情に鑑みなされたもので、胸骨圧迫部位を容易に特定し、消防・救命訓練の際の訓練（学習）効果を高めることができ、更には、訓練対象者が興味を示し、訓練意欲が高まるような消防・救命訓練用マネキン補助具を提供することを目的とする。
【課題を解決するための手段】
【０００９】  本考案者は、上記目的を達成するため鋭意検討の結果、消防・救命訓練用マネキン「以下、「訓練用マネキン」という。」を使用し、或いは直接人体に取り付けて、心臓マッサージ（胸骨圧迫）の訓練を行う際、胸骨圧迫部位を容易に特定するために、訓練用マネキンの前胸部を覆う透明シートを採用し、これに肋骨・胸骨のデザインを表示することにより、上記目的を達成したものである。更には、胸骨圧迫の際、ゴム風船を心臓部位と見立てて、該ゴム風船を押圧（圧迫）させて心臓マッサージの疑似訓練を行うことにより、救命訓練の際の訓練（学習）効果を高めることができ、訓練対象者、特に小学生等の子供達が興味を示し、訓練意欲が高められるような消防・救命訓練用マネキン補助具を提供することができることを知見し、本考案を完成するに至ったものである。【００１０】  従って、本考案は、下記の消防・救命訓練用マネキン補助具を提供する。
［１］消防・救命訓練用マネキンまたは人体に着脱可能であり、前胸部を覆う被覆シート本体と、該被覆シート本体に貼着され、人体の肋骨・胸骨部位が表示された表示部とを具備する消防・救命訓練用マネキン補助具。
［２］上記被覆シート本体が透明又は半透明である［１］記載の消防・救命訓練用マネキン補助具。
［３］更に、上記被覆シート本体に取り付けられ、人体の心臓を説明するために用いられる弾性変形材を具備する［１］又は［２］記載の消防・救命訓練用マネキン補助具。
［４］上記弾性変形材がゴム風船からなる［３］記載の消防・救命訓練用マネキン補助具。
［５］上記被覆シート本体の中央部又はその近傍に、細長状の折り返し片が設けられ、該折り返し片の先端部にゴム風船等の弾性変形材を取り付けるものであって、使用時に、上記折り返し片を内側に折り返して、上記弾性変形材を心臓と見立てて、心臓マッサージ訓練を行う［１］〜［４］のいずれか１項記載の消防・救命訓練用マネキン補助具。
［６］上記折り返し片を内側に折り返して使用する際の該折り返し片に取り付けられた弾性変形材の中心が、上記肋骨・胸骨部位が表示された表示部の胸骨圧迫部位となるように調整される［５］記載の消防・救命訓練用マネキン補助具。
［７］上記被覆シート本体の上端中央部に、消防・救命訓練用マネキンに着脱可能とするためのボタンが取り付けられる［１］〜［６］のいずれか１項記載の消防・救命訓練用マネキン補助具。
【考案の効果】
【００１１】  本考案の消防・救命訓練用マネキン補助具によれば、胸骨圧迫部位を容易に特定し、消防・救命訓練の際の訓練（学習）効果を高めることができるものである。また、訓練対象者が興味を示し、訓練意欲を高めることが可能である。更には、本考案のマネキン補助具は、誰でも手軽で容易に製作することができ、例えば、地域の自治会等の消防訓練するために、主婦・年配者等の自治会員が簡単に準備することができ、非常に経済的・作業性に優れたものである。
【図面の簡単な説明】
【００１２】
【図１】  本考案の一実施態様である訓練用マネキン補助具を示す概略正面図である。
【図２】  上記訓練用マネキン補助具を示し、折り返し片を内側に折り返した状態を示す概略背面図である。
【図３】  訓練用マネキンを示す概略斜視図である。
【図４】  上記訓練用マネキンに本考案の補助具を装着した状態を示す概略斜視図である。
【図５】  人体の肋骨・胸骨と心臓の位置および胸骨圧迫部位を説明するための説明図である。
【考案を実施するための形態及び実施例】
【００１３】  以下、図面を参照してこの考案の最良の形態を説明する。
図１は、本考案の消防・救命訓練用マネキン補助具の一例を示すものであり、訓練用マネキンまたは人体に着脱可能であり、人体の肋骨・胸骨が表示された前胸部を覆う被覆シート本体からなるものである。
【００１４】  図１において、消防・救命訓練用マネキン補助具１は、透明又は半透明の被覆シート本体２の表面又は裏面に肋骨・胸骨の表示部３を貼着させたものである。被覆シート本体２は、シート状の透明又は半透明の各種合成樹脂等、特にビニール製のシートから作成されるものを好適に使用することができるが、これに制限されるものではない。つまり、透明又は半透明でなくても、または、各種合成樹脂（プラスチック）でなくても紙や布等の繊維であってもよい。但し、ＡＥＤの訓練時には、ビニール等のプラスチックを使用すれば、被覆シート本体２を直接パッドに貼れて、人体のイメージがし易くなる。被覆シート本体２の形状は、正方形または長方形シートをベースにし、訓練用マネキンの首周りに装着させるために上部中央が円状または楕円状にくり抜かれ、内側が湾曲部２ａ，２ａが形成されると共に、その先端側が自由端２ｂ，２ｂが形成されている。この自由端２ｂ，２ｂ付近に、符号６，６で示す装着部（この場合は、ボタン止め）が備えられている。
【００１５】  また、図１の訓練用マネキン補助具１は、被覆シート本体２の一部であって、その中央部やや上側付近に、細長状の折り返し片４が一体的に形成されている。この折り返し片４は、使用時には、符号４ａの折り返し線から内側に折り返して使用されるものである。そして、この折り返し片４ａの自由端側（先端側）には、後述するゴム風船等の弾性変形材５を取り付けるためのスリット４ｂが形成される。
【００１６】  上記の弾性変形材５は、擬似的に心臓に見立てるものであり、押圧・圧迫することにより容易に弾性変形するものであれば特に制限はなく、例えば、弾性ゴム部材、ゴム風船、バネ等が挙げられる。このうち、ゴム風船５は、特に制限はなく、安価で容易に入手でき、子供達が遊ぶ手軽な風船等が好適に採用される。また、ゴム風船５は風船の大きさを適宜調整できるので、成人や子供等の心臓の大きさに適宜調整し易く、本考案においては利便性が高い。特に、赤色のゴム風船を採用することにより、心臓のイメージが理解し易くなるので、赤色のゴム風船が好適に採用される。このゴム風船５を心臓Ｘと見立てて、実際の訓練においては、ゴム風船５を心臓の大きさ相当の程度にある程度膨ませて使用され、この風船の弾性の感触により、心臓マッサージの疑似体験を行うことができる。
【００１７】  なお、本考案は、上記のゴム風船５を実際に装着しないで、肋骨・胸骨が表示された表示部３を具備し、前胸部を覆う被覆シート本体２からなるものであってもよい。この使用態様により、訓練用マネキンに使用するだけでも、少なくとも、心臓マッサージの際の胸部圧迫部位を特定しながら訓練を行うことができるので、それだけでも訓練効率が上がり、且つ、訓練（学習）効果は高まるものである。
【００１８】  図２は、本考案の訓練補助具１を実際に使用する際に、折り返し片４を内側に折り返して使用する態様を示すものである。つまり、上記の訓練補助具１は、訓練用マネキンを覆い、肋骨・胸骨の表示部３が表示された被覆シート本体１が外側に位置すると共に、この先端側にゴム風船（弾性変形材）５が取り付けられた折り返し片４が図２に示す使用態様により内側に位置することになり、所謂、二重構造となっている。
【００１９】  ここで、本考案の訓練補助具１の使用時の上記のゴム風船５（心臓に相当）の設置位置であるが、肋骨・胸骨の圧迫部位との関係において重要な要素であるので、ここで説明する。
【００２０】  図５に示すように、人体の肋骨・胸骨は、肋骨は第１肋骨〜第１２肋骨からなり、胸骨は、上から順に胸骨、胸骨体、剣状突起からなる。胸骨圧迫部位Ｙの正しい位置は、この剣状突起Ｙから横指２つ上あたりの部位とされる。従って、肋骨・胸骨の表示部３のうち、正中の部位である剣状突起を特定し、そこから横指２つ上あたりの位置を目安に心臓マッサージを行うように、被覆シート本体１を訓練用マネキンに装着するように調整する。
【００２１】  また、ゴム風船５等の弾性変形材を取り付けた被覆シート本体１においては、被覆シート本体１が折り返し片４の先端に取り付けられるので、折り返されるゴム風船等５の位置が図２に示されるように、肋骨・胸骨の表示部３のうち、胸骨のほぼ中央で、剣状突起から横指２本くらい上の部位に位置するように、具体的には、折り返し線４ａを基準にして、下方に向かって長さ１５〜２５ｃｍ程度、概ね２０ｃｍ程度の位置に心臓の大きさ相当に膨らませたゴム風船５の中心が位置するように、ゴム風船を取り付ける折り返し片４のスリット４ｂの取り付け位置を定める必要がある。
【００２２】  そして、図４に示すように、本考案の一実施態様のマネキン補助具１は、訓練用マネキン１０に装着して使用すると共に、被覆シート本体２に貼着された、肋骨・胸骨の表示部３の表示により、訓練対象者が心臓マッサージを行うための胸骨圧迫部位を容易に特定することができる。これによって、消防・救命訓練の際の訓練（学習）効果を高めることができるものである。
【００２３】  また、図４に示すように、使用時には、上記の折り返し片４を内側に折り返して、ゴム風船等の弾性変形材５を心臓と見立てて、肋骨・胸骨の表示部３（外側）とゴム風船等５（内側）の二重構造とすることにより、胸骨圧迫部位を容易に特定しながら、ゴム風船等５が押圧され弾性変形することにより心臓マッサージを実際に行っている感触を味わうことができ、訓練対象者（子供からお年寄りまで）が興味を示し、訓練意欲をより一層高めることが可能である。
【００２４】  また、上記のマネキン補助具は、被覆シート本体、肋骨・胸骨の表示部およびゴム風船等から簡易に構成されるので、誰でも手軽で容易に製作することができ、例えば、主婦・年配者を問わず誰でも簡単且つ短時間に準備することができ、非常に経済的・作業性に優れたものである。特に、地域の自治会等の消防訓練等のため、自治会員が手間をかけることなく、容易に簡単に準備することができ、利便性が非常に高いことがいえる。
【００２５】  以上、本考案の具体例を示したが、本考案は上記例に限定されるものではなく、各部の構成や組み合わせは、本考案の要旨を逸脱しない範囲であれば種々変更して差し支えない。
【符号の説明】
【００２６】１    マネキン補助具
２    被覆シート本体
３    肋骨・胸骨表示部
４    折り返し片
５    弾性変形材（ゴム風船）
６    着脱部材
１０  マネキン
Ｘ    心臓
Ｙ    圧迫部位
【図１】
0003191335.tif 000003
【図２】
0003191335.tif 000004
【図３】
0003191335.tif 000005
【図４】
0003191335.tif 000006
【図５】
0003191335.tif 000007